(57)【要約】      （修正有） 【課題】タブレット型コンピュータを収納でき、且つ使用時タブレット型コンピュータの支えとすることができ、使用上、便利で、タブレット型コンピュータが不意の損傷を受けることを防止できるタブレット型コンピュータ用保護ケースを提供する。【解決手段】タブレット型コンピュータ用保護ケースであって、折り畳み可能なカバー１と、前記カバーと可動的に連結させる保護筐体２とを含み、前記保護筐体はタブレット型コンピュータの背面形状と一致する円弧状底板と、前記底板の四隅部に設けられるフックとを、備える。【選択図】図３
0003174119.tif 000002
【実用新案登録請求の範囲】
【請求項１】
タブレット型コンピュータ用保護ケースであって、折り畳み可能なカバーと、前記カバーと可動的に連結させる保護筐体とを含み、前記保護筐体はタブレット型コンピュータの背面形状と一致する円弧状底板と、前記底板の四隅部に設けられるフックとを、備えることを特徴とするタブレット型コンピュータ用保護ケース。
【請求項２】
前記保護筐体の両側辺縁にストッパーが設けられ、一側の辺縁にあるストッパーが対応する二隅部のフックと連結して一体成型となり、他側の辺縁にあるストッパーに切欠部が設置され、前記切欠部の一側にあるストッパーが対応する一隅のフックと連結して一体成型となることを特徴とする請求項１に記載のタブレット型コンピュータ用保護ケース。
【請求項３】
前記保護筐体の底板の背面に楕円形マジックテープ（登録商標）が設けられ、保護ケースの裏面との連結に用いることを特徴とする請求項１に記載のタブレット型コンピュータ用保護ケース。
【請求項４】
前記保護筐体のストッパーの表面に均しく帯状のマジックテープ（登録商標）が設けられ、タブレット型コンピュータを使用する時保護ケースの裏面との連結に用いることを特徴とする請求項２に記載のタブレット型コンピュータ用保護ケース。
【請求項５】
保護筐体の端面に位置する前記４個のフック構造の背面にいずれも円形マジックテープ（登録商標）が設けられ、タブレット型コンピュータを使用する時保護ケースの裏面との連結に用いることを特徴とする請求項１に記載のタブレット型コンピュータ用保護ケース。
【請求項６】
保護ケースの表面は皮革素材からなり、裏面がフラネレット類の柔らかい素材からなることを特徴とする請求項１に記載のタブレット型コンピュータ用保護ケース。
【考案の詳細な説明】
【技術分野】
【０００１】本考案は、タブレット型コンピュータ用保護ケースに関し、特に、（公序良俗違反につき、不掲載）製品の包装・保護に用いられる保護ケースに関する。
【背景技術】
【０００２】（公序良俗違反につき、不掲載）
【考案の開示】
【考案が解決しようとする課題】
【０００３】
本考案は、タブレット型コンピュータを収納でき、且つ使用時タブレット型コンピュータの支えとすることができ、使用上、便利で、タブレット型コンピュータが不意の損傷を受けることを防止できるタブレット型コンピュータ用保護ケースを提供することを目的とする。
【課題を解決するための手段】
【０００４】
上記の目的を達成するため、本考案で提供するタブレット型コンピュータ用保護ケースは、折り畳み可能なカバーと、カバーと可動的に連結させる保護筐体とを含む。前記保護筐体は、タブレット型コンピュータの背面形状と一致する円弧状底板と、底板の四隅部に設けられるフックとを備える。
【０００５】
好ましくは、前記保護筐体の両側辺縁にストッパーが設けられ、一側の辺縁にあるストッパーが対応する二隅部のフックと連結して一体成型となる。他側の辺縁にあるストッパーに切欠部が設置され、前記切欠部の一側にあるストッパーが対応する一隅のフックと連結して一体成型となる。
【０００６】
好ましくは、前記保護筐体の底板の背面に楕円形マジックテープ（登録商標）が設けられ、保護ケースの裏面との連結に用いる。
【０００７】
好ましくは、前記保護筐体のストッパーの表面に均しく帯状のマジックテープ（登録商標）が設けられ、タブレット型コンピュータを使用する時保護ケースの裏面との連結に用いる。
【０００８】
好ましくは、保護筐体の端面に位置する前記４個のフック構造の背面にいずれも円形マジックテープ（登録商標）が設けられ、タブレット型コンピュータを使用する時保護ケースの裏面との連結に用いる。
【０００９】
好ましくは、保護ケースの表面は皮革素材からなり、裏面がフラネレット類の柔らかい素材からなる。
【考案の効果】
【００１０】本考案の有益な効果とは、該構造を採用し、保護筐体の両側辺縁に円弧形ストッパーが設置され、並びに四隅部にフックが設けることで、タブレット型コンピュータの（公序良俗違反につき、不掲載）をしっかり保護筐体内に留めて脱落を防止でき、そして保護筐体及びタブレット型コンピュータを保護ケース内に入れて携帯に利便となり、使用時保護筐体をタブレット型コンピュータと一緒に保護ケースに収納すると共に角度を調整し、最後にマジックテープ（登録商標）を通じて保護ケース上に固定して使用し、自由に使用角度を調整できるため、使用に便利である。
【図面の簡単な説明】
【００１１】
【図１】本考案の保護筐体立体図ある。
【図２】本考案の保護筐体背面図である。
【図３】本考案の実施例の開いた場合を示す図である。
【図４】本考案使用時の第１の実施例を示す図である。
【図５】本考案使用時の第２の実施例を示す図である。
【図６】本考案使用時の第３の実施例を示す図である。
【符号の説明】
【００１２】
１       カバー
２       保護筐体
２１     底板
２２     フック
２３     ストッパー
２４     帯状のマジックテープ（登録商標）
２５     楕円形マジックテープ（登録商標）
２６     円形マジックテープ（登録商標）
【考案を実施するための形態】
【００１３】
以下に添付図面と実施例を組み合わせて本考案の技術的思想を更に詳細に説明する。
図１乃至図３を参照しながら説明する。本考案で提供するタブレット型コンピュータ用保護ケースは、折り畳み可能なカバー１と、カバー１と可動的に連結させる保護筐体２とを含む。前記保護筐体２は、タブレット型コンピュータの背面形状と一致する円弧状底板２１と、底板２１の四隅部に設けられるフック２２とを備える。。
【００１４】
前記底板２1の両側辺縁に円弧形ストッパー２３が設けられ、一側の辺縁にあるストッパー２３が対応する二隅部のフック２２と連結して一体成型となる。他側の辺縁にあるストッパー２３に切欠部が設置され、前記切欠部の一側にあるストッパー２３が対応する一隅のフック２２と連結して一体成型となる。
【００１５】図４を参照しながら説明する。図４は、本考案の第１の具体的な実施例である。（公序良俗違反につき、不掲載）と保護筐体２を結合して開いたカバー１内に収納し、ストッパー２３の背面に設置される帯状のマジックテープ（登録商標）２４を通じてカバー１の対応する裏面と連結し、従ってｉＰａｄ上の操作が便利となる。
【００１６】図５を参照しながら説明する。図５は、本考案の第２の具体的な実施例である。（公序良俗違反につき、不掲載）と保護筐体２を結合して開いたカバー１内に収納し、ストッパー２３の背面に設置される帯状のマジックテープ（登録商標）２４を通じてカバー１の対応する裏面のフラネレットと連結し、収納角度は上記収納角度と異なり、異なる操作習慣の適応に用いられ、従ってｉＰａｄ上の操作が便利となる。
【００１７】図６を参照しながら説明する。図６は、本考案の第３の具体的な実施例である。（公序良俗違反につき、不掲載）と保護筐体２を結合させて開いたカバー１内に収納し、保護筐体２の背面に設けられる楕円形マジックテープ（登録商標）２５及び保護筐体２の端面に位置する４個のフック２２構造の背面に設けられる円形マジックテープ（登録商標）２６を通じて、カバー１の対応する裏面辺縁のフラネレットと連結し、同時に収納角度は上記収納角度と異なり、異なる操作習慣の適応に用いられ、従って（公序良俗違反につき、不掲載）上の操作が便利となる。
【図１】
0003174119.tif 000003
【図２】
0003174119.tif 000004
【図３】
0003174119.tif 000005
【図４】
0003174119.tif 000006
【図５】
0003174119.tif 000007
【図６】
0003174119.tif 000008
【手続補正書】
【提出日】平成23年12月28日(2011.12.28)
【手続補正１】
【補正対象書類名】明細書
【補正対象項目名】全文
【補正方法】変更
【補正の内容】
【考案の詳細な説明】
【技術分野】
【０００１】
本考案は、タブレット型コンピュータ用保護ケースの包装・保護に用いられる保護ケースに関する。
【背景技術】
【０００２】
現在、タブレット型コンピュータは、製品本体が板状で、他の補助具がない場合、この種の製品は使用上及び携帯上、非常に不便である。このような問題点に鑑み、市場上にタブレット型コンピュータの包装装置が登場することで、タブレット型コンピュータの携帯に用いられる。ただし、この種の装置はタブレット型コンピュータの支えとして提供できないため、使用において非常に不便である。    
【考案の開示】
【考案が解決しようとする課題】
【０００３】
本考案は、タブレット型コンピュータを収納でき、且つ使用時タブレット型コンピュータの支えとすることができ、使用上、便利で、タブレット型コンピュータが不意の損傷を受けることを防止できるタブレット型コンピュータ用保護ケースを提供することを目的とする。
【課題を解決するための手段】
【０００４】
上記の目的を達成するため、本考案で提供するタブレット型コンピュータ用保護ケースは、折り畳み可能なカバーと、カバーと可動的に連結させる保護筐体とを含む。前記保護筐体は、タブレット型コンピュータの背面形状と一致する円弧状底板と、底板の四隅部に設けられるフックとを備える。
【０００５】
好ましくは、前記保護筐体の両側辺縁にストッパーが設けられ、一側の辺縁にあるストッパーが対応する二隅部のフックと連結して一体成型となる。他側の辺縁にあるストッパーに切欠部が設置され、前記切欠部の一側にあるストッパーが対応する一隅のフックと連結して一体成型となる。
【０００６】
好ましくは、前記保護筐体の底板の背面に楕円形マジックテープ（登録商標）が設けられ、保護ケースの裏面との連結に用いる。
【０００７】
好ましくは、前記保護筐体のストッパーの表面に均しく帯状のマジックテープ（登録商標）が設けられ、タブレット型コンピュータを使用する時保護ケースの裏面との連結に用いる。
【０００８】
好ましくは、保護筐体の端面に位置する前記４個のフック構造の背面にいずれも円形マジックテープ（登録商標）が設けられ、タブレット型コンピュータを使用する時保護ケースの裏面との連結に用いる。
【０００９】
好ましくは、保護ケースの表面は皮革素材からなり、裏面がフラネレット類の柔らかい素材からなる。
【考案の効果】
【００１０】
本考案の有益な効果とは、該構造を採用し、保護筐体の両側辺縁に円弧形ストッパーが設置され、並びに四隅部にフックが設けることで、タブレット型コンピュータをしっかり保護筐体内に留めて脱落を防止でき、そして保護筐体及びタブレット型コンピュータを保護ケース内に入れて携帯に利便となり、使用時保護筐体をタブレット型コンピュータと一緒に保護ケースに収納すると共に角度を調整し、最後にマジックテープ（登録商標）を通じて保護ケース上に固定して使用し、自由に使用角度を調整できるため、使用に便利である。
【図面の簡単な説明】
【００１１】
【図１】本考案の保護筐体立体図ある。
【図２】本考案の保護筐体背面図である。
【図３】本考案の実施例の開いた場合を示す図である。
【図４】本考案使用時の第１の実施例を示す図である。
【図５】本考案使用時の第２の実施例を示す図である。
【図６】本考案使用時の第３の実施例を示す図である。
【符号の説明】
【００１２】
１ カバー
２ 保護筐体
２１      底板
２２      フック
２３      ストッパー
２４      帯状のマジックテープ（登録商標）
２５      楕円形マジックテープ（登録商標）
２６      円形マジックテープ（登録商標）
【考案を実施するための形態】
【００１３】
以下に添付図面と実施例を組み合わせて本考案の技術的思想を更に詳細に説明する。
図１乃至図３を参照しながら説明する。本考案で提供するタブレット型コンピュータ用保護ケースは、折り畳み可能なカバー１と、カバー１と可動的に連結させる保護筐体２とを含む。前記保護筐体２は、タブレット型コンピュータの背面形状と一致する円弧状底板２１と、底板２１の四隅部に設けられるフック２２とを備える。
【００１４】
前記底板２1の両側辺縁に円弧形ストッパー２３が設けられ、一側の辺縁にあるストッパー２３が対応する二隅部のフック２２と連結して一体成型となる。他側の辺縁にあるストッパー２３に切欠部が設置され、前記切欠部の一側にあるストッパー２３が対応する一隅のフック２２と連結して一体成型となる。
【００１５】
図４を参照しながら説明する。図４は、本考案の第１の具体的な実施例である。タブレット型コンピュータと保護筐体２を結合して開いたカバー１内に収納し、ストッパー２３の背面に設置される帯状のマジックテープ（登録商標）２４を通じてカバー１の対応する裏面と連結し、従ってタブレット型コンピュータ上の操作が便利となる。
【００１６】
図５を参照しながら説明する。図５は、本考案の第２の具体的な実施例である。タブレット型コンピュータと保護筐体２を結合して開いたカバー１内に収納し、ストッパー２３の背面に設置される帯状のマジックテープ（登録商標）２４を通じてカバー１の対応する裏面のフラネレットと連結し、収納角度は上記収納角度と異なり、異なる操作習慣の適応に用いられ、従ってタブレット型コンピュータ上の操作が便利となる。
【００１７】
図６を参照しながら説明する。図６は、本考案の第３の具体的な実施例である。タブレット型コンピュータと保護筐体２を結合させて開いたカバー１内に収納し、保護筐体２の背面に設けられる楕円形マジックテープ（登録商標）２５及び保護筐体２の端面に位置する４個のフック２２構造の背面に設けられる円形マジックテープ（登録商標）２６を通じて、カバー１の対応する裏面辺縁のフラネレットと連結し、同時に収納角度は上記収納角度と異なり、異なる操作習慣の適応に用いられ、従ってタブレット型コンピュータ上の操作となる。